(57)【要約】      （修正有）【課題】多くのルアーの使用や種々のテクニックを駆使することなく、ルアー自体の水中での挙動やアクションを簡単に変更させることができるルアーの提供。【解決手段】ルアー本体２と、ルアー本体２の先端部に取り付けられたリップ３と、ルアー本体２の後端部に取り付けられたテール４等を有するルアー１であって、前記リップ３がゴム状弾性を有する素材で構成され且つリールのリトリーブ速度によって前記リップ３が水中で弾性変形自在な柔軟性を有し、その変形状態によって当該ルアー１の水中におけるＳ字系挙動等の度合いを適宜変更可能としている。【選択図】図１
2019187248.tif 000002
【特許請求の範囲】
【請求項１】
ルアー本体と、ルアー本体の先端部に取り付けられたリップを有するルアーにおいて、リップがゴム状弾性を有する素材で構成され且つリールのリトリーブ速度によって前記リップが水圧で弾性変形自在な柔軟性を有することを特徴とする、ルアー。
【請求項２】
ルアー本体が、所定数のジョイントによって複数に分割され、該ジョイントを介して左右方向に湾曲自在となされている、請求項１記載のルアー。
【請求項３】
リップの表面に、該リップの変形形状を制御する一または複数の制御用リブが形成されている、請求項１または請求項２記載のルアー。
【請求項４】
リップがルアー本体に交換可能に取り付けられている、請求項１〜請求項３のうちのいずれか一項記載のルアー。
【発明の詳細な説明】
【技術分野】
【０００１】
本発明は、河川、湖沼、或いは海や汽水域等における種々の釣りに使用される疑似餌としてのルアーに関する。
【背景技術】
【０００２】
一般に、ルアーは前述した種々の水系において、ターゲットとなる魚の捕食特性等に合わせて種々のものが使用される。また、ルアーのタイプを比重で分けると、トップ、フローティング、サスペンドおよびシンキングに大別され、トップは沈まないルアーであり、フローティングは浮力があって止めると浮上するルアーであり、サスペンドは止めると浮き上がらず、沈まず水中で停止するルアーであり、シンキングは止めると沈降するルアーである。
【０００３】
またルアーは潜行する層によって、一般に、シャロー、ミドルダイバー、ディープダイバー等に大別され、シャローは一般に水面〜１．５ｍ程度の潜行であり、ミドルダイバーは通常、２ｍ前後〜３ｍぐらいの潜行であり、ディープダイバーは約３．５ｍないし４ｍ以上の潜行である。
【０００４】
更に、ルアー本体の形状や構造およびルアー本体の先端に取り付けられているリップの長さや形状等によっても水中でのルアー自体の挙動や潜行深度等が種々異なってくる。
【先行技術文献】
【特許文献】
【０００５】
【特許文献１】特開２０１６−１８５１３６号公報
【特許文献２】特開２０１７−１２７２３６号公報
【発明の概要】
【発明が解決しようとする課題】
【０００６】
アングラーは、日常、釣りを行う水系のポイントやターゲットとなる魚の捕食特性や刻一刻と変化する魚の食欲状態等にマッチングさせるために、予め多数のルアーを携行し、その都度、適切と思われるルアーを取捨選択してキャスティングを行う必要がある。
【０００７】
また、一つのルアーについては、水中でのルアー自体の挙動や潜行特性が単一であるため、アングラーは、トゥイッチングやジャーキングといったロッドアクションやストップアンドゴー等のリール操作を駆使して魚の食欲やリアクションバイトを刺激する必要がある。
【０００８】
そのため、アングラーが携行するルアーのバリエーションの多少や前述した種々のテックニックによって、ヒット数や釣果に大きな差が出易く、一般にビギナーと呼ばれるフィッシングの初心者がルアーで釣果を出すのが困難である。
【０００９】
本発明の目的は、前述した多種多様な多くのルアーを準備することなく、また種々のテクニックを駆使することなく、ルアー自体の水中での挙動やアクションを簡単に変更させることができるルアーを提供することにある。
【課題を解決するための手段】
【００１０】
請求項１記載の本発明は、ルアー本体と、ルアー本体の先端部に取り付けられたリップを有するルアーにおいて、リップがゴム状弾性を有する素材で構成され且つリールのリトリーブ速度によって前記リップが水圧で弾性変形自在な柔軟性を有することを特徴とするものである。
【００１１】
なお、本発明において、ゴム状弾性を有するものとは、ゴムおよび類似の物質、並びに弾性を示す樹脂等（弾性硫黄，各種合成ゴム等）をいい、例えば、シリコーンゴムやエラストマー等が挙げられる。
【００１２】
本発明のルアーにおけるルアー本体の構成材料は特に限定されないが、例えば軟質塩化ビニル樹脂やＡＢＳ樹脂、エラストマー、或いは木製といった種々のものが使用され得る。
【００１３】
請求項２記載の本発明は、前記請求項１記載のルアーについて、ルアー本体が、所定数のジョイントによって複数に分割され、該ジョイントを介して左右方向に湾曲自在となされている。
【００１４】
請求項３記載の本発明は、前記請求項１または請求項２記載のルアーについて、リップの表面に、該リップの変形形状を制御する一または複数の制御用リブが形成されていることを特徴とする。
【００１５】
請求項４記載の本発明は、前記請求項１〜請求項３のうちのいずれか一項記載のルアーについて、リップがルアー本体に交換可能に取り付けられているものである。
【発明の効果】
【００１６】
請求項１記載の本発明に係るルアーによれば、アングラーがリールのリトリーブ速度を変更するだけで、リップが受ける水圧が変わると共に、該リップの弾性変形度合が変化し、これに伴って、当該ルアーの水中での旋回挙動や潜行深度等が多様に変化する。そのため、従来のように、ロッドアクションやリールの変則的なリトリーブテクニックを駆使しなくても、容易に水中での変化に富んだルアーアクションを演出することができるという格別の利点を有する。
【００１７】
また、請求項２記載の本発明に係るルアーによれば、ルアー本体がジョイントを介して複数に分割されて、全体として湾曲自在なものであるため、水中におけるＳ字系挙動等へ容易に変化をつけることができ、初心者のアングラーであってもルアーによるヒット頻度を確実に高めることができる。
【００１８】
更に、請求項３記載の本発明に係るルアーによれば、リップの表面に、該リップの変形形状を制御する一または複数の制御用リブが形成されているため、前述した水中でのリップ変形を高度に制御することができ、その結果、更に水中での多様性のあるルアー挙動を演出することが可能となる。
【００１９】
また、請求項４記載の本発明に係るルアーによれば、ゴム状弾性が異なるリップを種々選択してルアー本体に取り付けることで、前述した種々の効果を重畳的に得ることができ、そのため、アングラーの習熟度によって、更に多彩なルアーフィッシングが楽しめる。
【図面の簡単な説明】
【００２０】
【図１】本発明の実施形態に係るルアーの側面図である。
【図２】図１のルアーの一部切欠側面図である。
【図３】図１のルアーの要部断面図である。
【図４】同実施形態のルアーに使用する交換可能なリップの具体例を示す平面図である。
【図５】図４のリップに制御用リブを設けた実施形態を示す平面図である。
【図６】同実施形態のルアーを低速でリトリーブした際の挙動を示す平面図とルアー先端部の拡大側面図である。
【図７】同実施形態のルアーを中速でリトリーブした際の挙動を示す平面図とルアー先端部の拡大側面図である。
【図８】同実施形態のルアーを高速でリトリーブした際の挙動を示す平面図とルアー先端部の拡大側面図である。
【図９】同実施形態のルアーを低速でリトリーブした際の潜行を示す側面図とルアーの拡大側面図である。
【図１０】同実施形態のルアーを高速でリトリーブした際の潜行を示す側面図とルアーの拡大側面図である。
【発明を実施するための形態】
【００２１】
次に、本発明の実施形態を図面にしたがって説明するが、本発明はかかる実施形態に限定されるものではない。
【００２２】
図１に示すように、本実施形態に係るルアー１は、魚形態のハード系素材（ＡＢＳ樹脂）等からなるルアー本体２と、ルアー本体２の先端部に取り付けられたシリコーンゴム製のリップ３と、ルアー本体２の後端部に取り付けられたテール４と、フック（図示略）を取り付けるためにルアー本体２の下面における先端寄り部分および後端寄り部分に固定されたフックアイ５と、ライン（図示略）を締結するために、ルアー本体２の先端部分に固定されたラインアイ９等を有する。
【００２３】
図２および図３に示すように、本実施形態では、ルアー本体２は、その長さ中央部分および後端寄り部分に設けられた上下一対のジョイント部材６によって、ヘッド側部２Ａ、ミドル部２Ｂと、テール側部２Ｃとに三分割され、ヘッド側部２Ａおよびミドル部２Ｂの内下部にはそれぞれ所定形状のウエイトＧ１・Ｇ２が装着されており、前記ジョイント部材６を介してルアー本体２が左右方向に湾曲自在となされている。
【００２４】
リップ３およびテール４は、既存のこの種ルアーと同様に、それぞれ基部がルアー本体２内の凹所（図示略）に挿入されて、抜脱自在な止めピンＰ１・Ｐ２を介してそれぞれルアー本体２に着脱自在に装着されている。また、リップ３は、本実施形態では、前述した通り、シリコーンゴム製であって、リールのリトリーブ速度によって水圧で弾性変形自在な柔軟性を有する。
【００２５】
図４に示すように、前記リップ３としては、例えば種々の団扇形のものが挙げられ、３ａは広幅の扇形、３ｂは縦長扇形、３ｃは外形が丸みのある扇形、３ｄは前記３ｃのリップと同形で、上面先端寄り部分に楕円形の凹面部Ｍを有するものである。
【００２６】
また、図５に示すように、前述したリップ３ａ〜３ｃについて、表面に該リップ３の変形形状を制御する一または複数の制御用リブ１１・１２が形成されている。制御用リブ１１は、当該ルアーの進行方向に対して直交する方向に形成されたものであって、当該ルアー１の進行方向に対しては容易に弾性変形するが前記直交する方向については、リブ１１の作用によって、変形し難い特性を有する。また、制御用リブ１２はいずれも基部側にのみ形成されているため、基部側については、弾性変形し難く、先端側部分のみが容易に弾性変形し易い特性を要する。
【００２７】
そして、図６〜図８に示すように、本実施形態のルアー１によれば、リール（図示略）に巻かれたラインＬをルアー本体２先端のラインアイ９に締結してリールをリトリーブする際に、その速度が低速である場合には、図６の通り、前記リップ３は弾性変形せず、原形のままの状態となり、その結果、当該ルアー１が平面方向から見て、大きなＳ字を描くように動く。また、リールのリトリーブ速度が中速の場合には、図７の通り、リップ３が若干後方へ湾曲した形状に変形し、これに伴って、ルアー１は小さなＳ字を描くように動く。更にまた、リールのリトリーブ速度が高速の場合には、図８の通り、リップ３が後方へ大きく湾曲した形状に変形し、これに伴って、ルアー１は直線に近い動きとなる。
【００２８】
図９に示すように、リール（図示せず）の低速リトリーブの際には、ルアー１は、前述した通り、平面方向から見て大きなＳ字を描くように動くが、潜行水深に関しては、リップ３が変形せずに原形のままの状態であるため、該リップ３の作用によって、ルアー２は深く潜行し易くなる。
【００２９】
図１０に示すように、リール（図示せず）の高速リトリーブの際には、ルアー１は、前述した通り、平面方向から見て直線に近い動きとなるが、潜行水深に関しては、リップ３が変形することによって、ルアー１は深く潜行せず、水面寄りに潜行し易くなる。
【００３０】
以上要するに、本実施形態に係るルアー１によれば、リールのリトリーブ速度によって、Ｓ字状の動きに変化をつけることができ、且つこれと重畳的に潜行水深も変化させることができる。
【産業上の利用可能性】
【００３１】
本発明に係るルアーは、リールによるリトリーブの速度によって、Ｓ字系等の挙動が変化し、またその際の潜行状態も異なるため、一つのルアーでパターンの異なるフィッシングが可能となり、バスフィッシングやトラウトフィッシング等において幅広い利用が期待できる。
【符号の説明】
【００３２】
１  ルアー
２  ルアー本体
３  リップ
４  テール
【図１】
2019187248.tif 000003
【図２】
2019187248.tif 000004
【図３】
2019187248.tif 000005
【図４】
2019187248.tif 000006
【図５】
2019187248.tif 000007
【図６】
2019187248.tif 000008
【図７】
2019187248.tif 000009
【図８】
2019187248.tif 000010
【図９】
2019187248.tif 000011
【図１０】
2019187248.tif 000012